(57)【要約】【課題】所定場所への平均流入量がピークに達した後の流入量の減水傾向を容易に予測する。【解決手段】ＣＰＵ１１は、計測部１６で計測される流入量に基づいて６時間毎の平均流入量を算出し、平均流入量がピークであるピーク流入量、およびピーク流入量があった時間から６時間後の平均流入量であるピーク次点流入量を検出するか、または、６時間毎の平均流入量の変化をディスプレイ１８に表示し、ユーザが入力することによってピーク流入量、およびピーク次点流入量を取り込む。ＣＰＵ１１は、いずれかの方法によって取り込まれたピーク流入量およびピーク次点流入量を、計算式ｙ＝Ａ／（２＾Ｂ）ｘ＾Ｂにあてはめ、ピーク次点流入量が算出されてから６時間後以降の予測平均流入量を算出する。【選択図】        図１
2007278879.tif 000002
【特許請求の範囲】
【請求項１】
所定場所に水の流入があり、上記所定場所への流入量がピークに達した後の流入量の減水傾向を予測するための流入量減水予測装置であって、
所定時間毎に上記所定時間内の平均流入量を算出していき、平均流入量がピークに達した算出時間を１番目の算出時間とすると、上記１番目の算出時間の平均流入量であるピーク流入量と、上記１番目の算出時間から所定時間後の２番目の算出時間の平均流入量であるピーク次点流入量を取り込む取り込み部と、
ｘ番目の算出時間の平均流入量をｙとし、上記ピーク次点流入量をＡ、減水カーブの傾きを示す累乗指数およびピーク流入量との関係式と上記取り込み部で取り込まれた上記ピーク流入量を用いて求められる累乗指数をＢとした、計算式ｙ＝Ａ／（２＾Ｂ）ｘ＾Ｂに基づいて、上記２番目の算出時間に続く算出時間の予測平均流入量を算出する算出部と
を有することを特徴とする流入量減水予測装置。
【請求項２】
上記算出部で算出される上記予測平均流入量に基づいて、上記ピーク次点流入量が算出された算出時間後の減水傾向を示す減水予測カーブを作成し、該減水予測カーブを表示部に表示するための表示制御部をさらに有する
ことを特徴とする請求項１に記載の流入量減水予測装置。
【請求項３】
上記ピーク流入量および上記ピーク次点流入量を入力する入力部をさらに有し、
上記取り込み部は、上記入力部で入力された上記ピーク流入量および上記ピーク次点流入量を取り込む
ことを特徴とする請求項１に記載の流入量減水予測装置。
【請求項４】
上記ピーク流入量および上記ピーク次点流入量を検出する検出部をさらに有し、
上記取り込み部は、上記検出部で検出された上記ピーク流入量および上記ピーク次点流入量を取り込む
ことを特徴とする請求項１に記載の流入量減水予測装置。
【請求項５】
上記検出部が上記ピーク流入量および上記ピーク次点流入量を検出したとき、上記ピーク流入量および上記ピーク次点流入量が検出されたことを報知する報知部をさらに有する
ことを特徴とする請求項４に記載の流入量減水予測装置。
【請求項６】
所定場所に水の流入があり、上記所定場所への流入量がピークに達した後の流入量の減水傾向を予測するための流入量減水予測方法であって、
所定時間毎に上記所定時間内の平均流入量を算出していき、平均流入量がピークに達した算出時間を１番目の算出時間とすると、上記１番目の算出時間の平均流入量であるピーク流入量と、上記１番目の算出時間から所定時間後の２番目の算出時間の平均流入量であるピーク次点流入量を取り込む取り込みステップと、
ｘ番目の算出時間の平均流入量をｙとし、上記ピーク次点流入量をＡ、減水カーブの傾きを示す累乗指数およびピーク流入量との関係式と上記取り込みステップで取り込まれた上記ピーク流入量を用いて求められる累乗指数をＢとした、計算式ｙ＝Ａ／（２＾Ｂ）ｘ＾Ｂに基づいて、上記２番目の算出時間に続く算出時間の予測平均流入量を算出する算出ステップと
を有することを特徴とする流入量減水予測方法。
【発明の詳細な説明】
【技術分野】
【０００１】
この発明は、所定場所に水の流入があり、その平均流入量がピークに達した後の流入量の減水傾向を予測する流入量減水予測装置および流入量減水予測方法に関する。
【０００２】
詳しくは、この発明は、所定時間毎に算出される平均流入量のうち、平均流入量がピークに達した算出時間のピーク流入量と、それから所定時間後の算出時間に算出された平均流入量であるピーク次点流入量に基づき、所定の計算式を用いて、ピーク次点流入量を算出した算出時間から所定時間以降の予測平均流入量を求めることによって、今後の流入量の減水傾向を容易に予測することを可能とした流入量減水予測装置および流入量減水予測方法に係るものである。
【背景技術】
【０００３】
例えば、降雨等により、上流のダムに流入があると、上流ダムの水位が上がるため、ダムの運用者によって、下流ダムへ放流が行われる。しかし、上流のダムから下流のダムへ放流する際に、必要以上に放流を行ってしまうと、上流ダムの水位が下がり、上流のダムの目標水位をキープすることができなくなってしまうことがある。
【０００４】
また、逆に、上流ダムから下流ダムへの放流が遅れてしまうと、上流のダムの水位が必要以上に上昇し、続けて降雨等により流入量がある場合に、その流入量に対応できるだけのポケット（容量）を確保することができなくなる。
【０００５】
下流ダムへ放流する操作は、ベテランの運用者が長年の実務経験に基づいて、上流ダムへの流入量がピークになった後の流入量の減水傾向を予測しながら行われているのが現状である。このため、放流を行うタイミングや、放流される水量にも個人差がある上、経験が浅い者には流入量がいかに減水していくかの予測が全くつかないため、上流ダムの目標水位をキープしながら下流ダムに放流を行うことが大変困難である。このような個人差や経験差の影響を受けることなく、流入量の減水傾向を容易に予測することが望まれている。
【０００６】
従来、上流ダムの放流量、雨量等を入力し、下流のダムに流入する流入量の予測を行うダム流入予測モデル構築方法が提案されている（例えば、特許文献１参照）。
【０００７】
【特許文献１】特開２０００−１８９８４号公報
【発明の開示】
【発明が解決しようとする課題】
【０００８】
しかし、上述した特許文献１の発明は、下流のダムの流入量を予測することに関しては提案がされているものの、上流のダム等、所定場所に流入があり、その流入量がピークになった後の流入量の減水傾向を予測することに関しては何ら示唆されていなかった。
【０００９】
この発明の目的は、所定場所に流入があり、その流入量がピークに達した後の流入量の減水傾向を容易に予測することにある。
【課題を解決するための手段】
【００１０】
この発明の概念は、
所定場所に水の流入があり、上記所定場所への流入量がピークに達した後の流入量の減水傾向を予測するための流入量減水予測装置であって、
所定時間毎に上記所定時間内の平均流入量を算出していき、平均流入量がピークに達した算出時間を１番目の算出時間とすると、上記１番目の算出時間の平均流入量であるピーク流入量と、上記１番目の算出時間から所定時間後の２番目の算出時間の平均流入量であるピーク次点流入量を取り込む取り込み部と、
ｘ番目の算出時間の平均流入量をｙとし、上記ピーク次点流入量をＡ、減水カーブの傾きを示す累乗指数およびピーク流入量との関係式と上記取り込み部で取り込まれた上記ピーク流入量を用いて求められる累乗指数をＢとした、計算式ｙ＝Ａ／（２＾Ｂ）ｘ＾Ｂに基づいて、上記２番目の算出時間に続く算出時間の予測平均流入量を算出する算出部と
を有することを特徴とする流入量減水予測装置にある。
【００１１】
この発明において、所定場所とは、例えばダムである。降雨等によってダムに流入がある場合に、水の流入量（以下、単に流入量という）を、例えば、水系盤を用いて逐次計測している。
【００１２】
水系盤で計測された流入量に基づいて、所定時間毎、例えば６時間毎に、その６時間分の平均流入量が算出される。そして、平均流入量がピークに達した算出時間（１番目の算出時間）の平均流入量であるピーク流入量と、平均流入量がピークに達した算出時間から、６時間後の算出時間（２番目の算出時間）の平均流入量であるピーク次点流入量が、検出部で検出される。
【００１３】
また、検出部でピーク流入量およびピーク次点流入量が検出されたとき、検出されたことが報知部で報知されるようにしてもよい。報知部は、表示で報知をする場合は、表示部で構成され、音で報知をする場合は、ブザーやスピーカで構成される。このように報知がなされることによって、ユーザを表示部に着目させることができる。検出部で検出されたピーク流入量およびピーク次点流入量は、取り込み部で取り込まれる。
【００１４】
また、上述した検出部でピーク流入量およびピーク次点流入量が検出されるかわりに、水系盤で計測された流入量から６時間毎に平均流入量の変化を表示部に表示し、ピーク流入量およびピーク次点流入量が、ユーザによって入力部で入力されるようにしてもよい。こうすることで、ユーザが減水傾向の予測を行いたい場合のみ、ピーク次点流入量に続く、３番目の算出時間以降の予測平均流入量が算出される。入力部で入力されたピーク流入量およびピーク次点流入量は、取り込み部で取り込まれる。
【００１５】
次に、取り込み部で取り込まれたピーク流入量およびピーク次点流入量が所定の計算式にあてはめられ、流入量の今後の減水傾向を予測するための予測平均流入量が求められる。所定の計算式とは、ｘ番目の算出時間の平均流入量をｙとした、ｙ＝Ａ／（２＾Ｂ）ｘ＾Ｂである。
【００１６】
Ａには、取り込み部で取り込まれたピーク次点流入量が代入される。Ｂには、例えば、所定場所への流入量の実績値に基づいた複数の減水カーブの傾きを示す累乗指数と、これらの減水カーブの各ピーク流入量との関係式と、取り込み部で取り込まれたピーク流入量を用いて求められた関係式の累乗指数が代入される。Ｂの値は、取り込み部で取り込まれるピーク流入量の値に応じて変化する。このようにして、Ａ、Ｂにそれぞれ値が代入され、計算式ｙ＝Ａ／（２＾Ｂ）ｘ＾Ｂに基づいて、３番目の算出時間以降の予測平均流入量を求めることができる。
【００１７】
また、このようにして求められた計算式に基づいて、今後の流入量の減水傾向を示す減水予測カーブが作成されてもよい。減水予測カーブは、例えば表示部で表示される。表示部に減水予測カーブが表示されることによって、ユーザは、表示された減水予測カーブを見て、今後のダムへの流入量の減水傾向を把握した上で、例えば、所定場所が上流ダムであれば、下流ダムへ放流するタイミング等を決めることができる。
【発明の効果】
【００１８】
この発明によれば、所定時間毎に算出される平均流入量のうち、平均流入量がピークに達した算出時間のピーク流入量と、それから所定時間後の平均流入量であるピーク次点流入量に基づき、所定の計算式を用いて、ピーク次点流入量を算出した算出時間から所定時間以降の予測平均流入量を求めるものであり、今後の流入量の減水傾向を容易に予測することが可能となる。
【発明を実施するための最良の形態】
【００１９】
以下、図面を参照しながら、この発明の実施の形態について説明する。
【００２０】
図１は実施の形態としての流入量減水予測装置１０の構成を示している。この流入量減水予測装置１０は、ＣＰＵ（Central  Processing  Unit）１１と、ＲＡＭ（Random  Access  Memory）１２と、ＲＯＭ（Read  Only  Memory）１３と、入出力Ｉ／Ｆ（Interface）１４と、ＨＤＤ（Hard  Disk  Drive）１５と、計測部１６とを有しており、これらはバス１９に接続されている。また、入出力Ｉ／Ｆ１４には、ユーザインターフェイスとしてのキーボード１７とディスプレイ１８とが接続されている。
【００２１】
ＣＰＵ１１は、流入量減水予測装置１０の全体の動作を制御するものである。ＲＯＭ１３は、ＣＰＵ１１の動作を制御するための、制御プログラムやデータ等を格納している。ＲＡＭ１２は、ＣＰＵ１１のワーキングエリアとして機能する。ＣＰＵ１１は、ＲＯＭ１３に格納されている制御プログラムを必要に応じて読み出し、ＲＡＭ１２に転送して展開する。そして、ＣＰＵ１１は、ＲＡＭ１２に展開された制御プログラムを読み出して実行することで、流入量減水予測装置１０の各部を制御する。
【００２２】
入出力Ｉ／Ｆ１４は、データのやり取りの制御方法などを規定する。キーボード１７を用いて入力されたピーク流入量等のデータは、入出力Ｉ／Ｆ１４を介してバス１９を通り、ＣＰＵ１１によって処理される。また、ＣＰＵ１１によって制御される表示情報は、入出力Ｉ／Ｆ１４を介して、ディスプレイ１８に供給される。ディスプレイ１８は、ＬＣＤ（Liquid  Crystal  Display）等の表示器によって構成されている。
【００２３】
ＨＤＤ１５は、所定時間毎に計測部１６で計測された流入量等を格納する。計測部１６は、例えば、水系盤で構成され、ダムに水の流入があった場合、その流入量を逐次計測している。
【００２４】
以下、流入量減水予測装置１０で行われる動作を簡単に説明する。
【００２５】
流入量減水予測装置１０は、計測部１６を用いて、ダム等、水の流入がある所定場所に降雨等による流入があった場合に、水系盤を用いて流入量を逐次計測している。計測される流入量に基づいて、例えば６時間毎に、その６時間分の平均流入量が算出される。これらの６時間毎の平均流入量は、ＨＤＤ１５に逐次記憶される。このように算出される６時間毎の平均流入量から、例えば、平均流入量がピークとなるようなピーク流入量が検出されると、ピーク流入量とともに、ピーク流入量が算出された算出時間から６時間後の平均流入量であるピーク次点流入量が検出され、取り込まれる。
【００２６】
ピーク流入量およびピーク次点流入量を取り込む別の方法として、例えば、水系盤で計測された流入量から、６時間毎の平均流入量を算出し、その平均流入量の変化をディスプレイ１８に表示し、ユーザがディスプレイ１８に表示される６時間毎の平均流入量を見て、平均流入量がピークとなっているピーク流入量を検出し、ピーク流入量およびピーク流入量が算出された算出時間から６時間後の流入量であるピーク次点流入量を、キーボード１７を用いて入力する方法もある。
【００２７】
上述したいずれかの方法で取り込まれたピーク流入量およびピーク次点流入量は、所定の計算式ｙ＝Ａ／（２＾Ｂ）ｘ＾Ｂにあてはめられ、ピーク次点流入量を算出した算出時間後の平均流入量を予測する。この計算式は、予めＲＯＭ１３等に格納されている。以下、計算式ｙ＝Ａ／（２＾Ｂ）ｘ＾Ｂの成り立ちについて説明する。
【００２８】
図２は、ｘ軸に経過時間（６時間単位）、ｙ軸に６時間毎の平均流入量（ｍ３ｓ）をとり、降雨等により、平均流入量がピークに達した算出時間（ｘ＝１）から６時間毎の所定場所への過去の流入量の減水実績およびその近似値線である減水カーブを示した図である。図２には、このような６時間毎の平均流入量の減水実績が複数表示されており、これらに基づいた減水カーブも併せて表示されている。また、各減水カーブに対応した計算式が記されている。
【００２９】
図２に示す減水カーブの計算式の一般式をｙ＝ｐｘ＾ｑとすると、ｐは各減水カーブのカーブスタートの高さであるピーク流入量であり、ｑは各減水カーブの流入量が減水していく傾きを決めている数値であることがわかる。このことをふまえると、ｘの累乗指数であるｑが流入量の減水傾向に関係していることが考えられる。次に、ピーク流入量とｘの累乗指数であるｑの相関性を検討する。
【００３０】
図３は、図２で示した各流入量減水実績におけるピーク流入量（ｘ＝１のときのｙの値）をｘとし、各近似値線の計算式から導きだされるｘの累乗指数であるｑをｙとし、実績値に基づいて求められる近似値線を表した図である。
【００３１】
図３に示すように、ｘ軸に複数の近似値線の各ピーク流入量（ｍ３／ｓ）、ｙ軸に図２に示す各近似値線の計算式の、ｘの累乗指数であるｑをとると、ある程度の相関性が見られる。これらに基づく関係式である近似値線の下には、近似値線の計算式であるｙ＝０．２４０５ｘ＾０．２２５４が表示されている。
【００３２】
これらをもとに、図２で示した減水カーブの計算式の一般式であるｙ＝ｐｘ＾ｑに基づいて、ｘの係数をカーブスタートの高さであるピーク流入量とし、ｘの累乗指数を流入量の減水の傾きを示す値とした、減水傾向を予測するための減水予測カーブの計算式を作成する。
【００３３】
計算式の一般式は、ｘ番目の算出時間の平均流入量をｙとすると、ｙ＝ｃｘ＾ｂと表すことができる。一般式ｙ＝ｃｘ＾ｂのｃはピーク流入量である。また、ｂは、図３で求めた関係式であるｙ＝０．２４０５ｘ＾０．２２５４のｘに、ピーク流入量を代入することで求められる値である。例えば、算出されたピーク流入量が１６．５（ｍ３／ｓ）である場合、ｘに１６．５をあてはめると、ｂは、０．２４０５＊１６．５＾０．２２４５＊−１＝−０．４５２となり、−０．４５２と求めることができ、これらを一般式ｙ＝ｃｘ＾ｂにあてはめると、ピーク流入量が１６．５（ｍ３／ｓ）である場合の計算式はｙ＝１６．５ｘ＾−０．４５２と求められる。
【００３４】
図４は、上述した方法で求められた減水予測カーブの計算式ｙ＝１６．５ｘ＾−０．４５２に基づく減水予測カーブと、実際にピーク流入量が１６．５（ｍ３／ｓ）である場合の、流入量の減水実績を示した図である。図４に示すように、減水予測カーブは、実際の減水実績と比較すると、減水実績よりも低めに推移しており、かなりのズレがあることが見受けられる。図４で、実績値と、実績値に基づく近似値線とを比較すると、ピーク流入量があった６時間後の流入量（ピーク次点流入量）が、かなり近い値であることがわかる。
【００３５】
このことに着目し、減水予測カーブで算出されるピーク流入量の６時間後の流入量が、流入量減水実績におけるピーク次点流入量と同じになるように、計算式を補正する。
【００３６】
ピーク次点流入量をＡ、ｙ＝ｃｘ＾ｂの減水予測カーブとカーブの傾きは同じであるので、減水予測カーブを表す計算式であるｙ＝ｃｘ＾ｂのｘの累乗指数であるｂをＢとすると、補正された計算式は、ｙ＝Ａ／（２＾Ｂ）ｘ＾Ｂと表すことができる。
【００３７】
図５は、補正した計算式に基づく減水予測カーブ、補正前の計算式に基づく減水予測カーブ、および減水実績を示す図である。実績値と減水予測カーブを合わせた点に着目すると、補正前の計算式に基づく減水予測カーブよりも、補正後の計算式に基づく減水予測カーブは、流入量の減水実績に非常に近いものになっている。このような経緯を経て、補正後の計算式であるｙ＝Ａ／（２＾Ｂ）ｘ＾Ｂを、減水傾向を予測するための計算式とした。
【００３８】
この計算式により、ｘ＝３以降のｙの値を求めることで、ピーク次点流入量に続く、６時間後以降の予測平均流入量が求められ、今後の流入量の減水傾向を予測することができる。また、この計算式を用いて減水予測カーブを作成することができる。予測平均流入量および減水予測カーブは、ディスプレイ１８に表示される。図６は、ディスプレイ１８に表示される予測平均流入量および減水予測カーブを表示した表示例である。
【００３９】
図７は、ピーク流入量およびピーク次点流入量がユーザによって入力される場合の、流入量減水予測装置１０のＣＰＵ１１の動作を示したフローチャートである。以下、図７のフローチャートを用いてＣＰＵ１１の動作を説明する。
【００４０】
まず、ＣＰＵ１１は、ステップＳＴ１で電源が入ると同時に動作をスタートし、計測部１６で計測される流入量に基づいて、６時間毎の平均流入量を算出する。ＣＰＵ１１は、ステップＳＴ２で、６時間毎の平均流入量をディスプレイ１８に表示する。
【００４１】
次に、ステップＳＴ３で、ＣＰＵ１１は、ユーザによってキーボード１７が操作され、ピーク流入量およびピーク次点流入量が入力されたかを判断する。このときキーボード１７は入力部を構成している。ステップＳＴ３で、入力がなかったと判断する場合は、ステップＳＴ２に戻り、ステップＳＴ３で入力があったと判断されるまで、ステップＳＴ２およびステップＳＴ３の動作を繰り返す。なお、ステップＳＴ２で表示される表示情報は、新たに６時間毎の平均流入量が算出される度に、更新されるようになっている。
【００４２】
逆に、ステップＳＴ３で入力があったと判断する場合は、ＣＰＵ１１は、ステップＳＴ４で、入力されたピーク流入量およびピーク次点流入量を取り込み、ＲＡＭ１２に記憶する。このとき、ＣＰＵ１１は取り込み部を構成している。
【００４３】
次に、ステップＳＴ５で、ステップＳＴ４で取り込まれた値に基づいた、計算式ｙ＝Ａ／（２＾Ｂ）ｘ＾Ｂから、ピーク次点流入量が算出された算出時間後の予測平均流入量を算出する。このときＣＰＵ１１は算出部を構成している。また、ステップＳＴ５では、計算式に基づいて減水予測カーブも作成される。ステップＳＴ５で算出された予測平均流入量は、減水予測カーブとともに、ステップＳＴ６でディスプレイ１８に表示される。図６は、ディスプレイ１８に予測平均流入量および減水予測カーブを表示した表示例である。
【００４４】
この後、ＣＰＵ１１は、ステップＳＴ７で、一連の動作を終了する。
【００４５】
このように、ユーザがディスプレイ１８に表示される６時間毎の平均流入量を見て、ピーク流入量をおよびピーク次点流入量を入力するので、ユーザが予測を必要とするときだけ、流入量の減水傾向を予測することができる。
【００４６】
図８は、ピーク流入量およびピーク次点流入量が、ＣＰＵ１１によって検出される場合の、ＣＰＵ１１の動作を示すフローチャートである。以下、図８のフローチャートを用いて、ＣＰＵ１１の動作を説明する。図７のフローチャートと重なる部分は、適宜説明を省略する。
【００４７】
ステップＳＴ１１で電源が入ると同時に動作をスタートし、計測部１６で計測された流入量に基づいて、６時間毎の平均流入量を算出する。ＣＰＵ１１は、ステップＳＴ１２で、ステップＳＴ１１で計測される６時間毎の平均流入量から、ピーク流入量を検出したか否かを判断する。
【００４８】
ＣＰＵ１１が、ステップＳＴ１２でピーク流入量を検出しなかったと判断する場合は、ピーク流入量があったと判断されるまで、ステップＳＴ１２の動作を繰り返す。
【００４９】
逆に、ＣＰＵ１１が、ステップＳＴ１２で、ピーク流入量を検出したと判断する場合は、ステップＳＴ１３で、ピーク流入量およびピーク次点流入量を検出する。ピーク流入量であるか否かは、次点流入量が低下したことでわかるので、ピーク次点流入量はピーク流入量と同時に検出することができる。このとき、ＣＰＵ１１は検出部を構成している。
【００５０】
ステップＳＴ１３で検出したとき、ＣＰＵ１１は、ステップＳＴ１４で、ピーク流入量およびピーク次点流入量が検出されたことを、ディスプレイ１８を点滅させたり、文字を大きく表示することで、ユーザに報知する。このように検出したことを報知することによって、ユーザをディスプレイ１８に注目させることができる。このとき、ＣＰＵ１１は報知部を構成している。
【００５１】
次に、ＣＰＵ１１は、ステップＳＴ１３で検出されたピーク流入量およびピーク次点流入量を、ステップＳＴ１５で取り込み、ＲＡＭ１２に記憶する。このとき、ＣＰＵ１１は取り込み部を構成している。
【００５２】
ステップＳＴ１６以降の動作は、図７に示したフローチャートのステップＳＴ６以降の動作と同じであるので、説明を省略する。
【００５３】
このように、流入量減水予測装置１０によって過去何時間かの流入量の変化から、自動的にピーク流入量およびピーク次点流入量が検出されるので、ユーザは、自らピーク流入量およびピーク次点流入量を入力する必要がない上、ディスプレイ１８を常時見ていなくてもよい。
【００５４】
図７、８で示したように、ピーク流入量およびピーク次点流入量に基づいて、計算式ｙ＝Ａ／（２＾Ｂ）ｘ＾Ｂを用いて今後の予測平均流入量を算出し、流入量の減水傾向の予測を容易に行うことができる。
【００５５】
なお、上述の実施の形態においては、図８のステップＳＴ１４で、ＣＰＵ１１は、ディスプレイ１８を用いて報知するようにしたが、スピーカ等を用いて音声で報知するようにしてもよい。音声で報知することによって、ユーザが流入量減水予測装置１０から離れた場所にいたとしても、ピーク流入量およびピーク次点流入量が検出されたことを知らせることができる。
【００５６】
なお、上述の実施の形態においては、計算式ｙ＝Ａ／（２＾Ｂ）ｘ＾Ｂを求める際に用いる関係式ｙ＝ｐｘ＾ｑを、図２に示したように、実際に予測を行う所定場所の過去の流入実績に基づいて求めたが、予測を行う場所の実績値に限らなくてもよい。
【００５７】
また、上述の実施の形態においては、図１に示すように、計測部１６を流入量減水予測装置１０の内部に設けたが、流入量減水予測装置１０の外部にあってもよい。
【００５８】
また、上述の実施の形態においては、図８のステップＳＴ１４でピーク流入量およびピーク次点流入量を検出したことを報知した後、ステップＳＴ１５で取り込み、ステップＳＴ１６で予測平均流入量を算出するとともに、減水予測カーブを作成したが、ユーザが流入量の減水傾向の予測を希望するかを判断するステップをさらに設け、ＣＰＵ１１が、ユーザが予測を希望していると判断した場合のみ、減水予測カーブを作成するようにしてもよい。こうすることによって、図７で示した動作と同様に、ユーザが予測を必要とするときだけ、流入量の減水傾向を予測することができる。
【００５９】
また、上述の実施の形態においては、実際に降雨等によりダムに流入があり、その流入量がピークであるときの、ピーク流入量およびピーク次点流入量に基づいて、今後の流入量の減水傾向を予測するために流入量減水予測装置１０を使用したが、ダムの運用者が、上流ダムから下流ダムへ放流を行う訓練を行うための訓練システムにも利用することができる。
【産業上の利用可能性】
【００６０】
この発明は、所定場所への流入量がピークに達した後の流入量の減水傾向を予測するものであり、例えばダムに流入があった場合に適用することができる。
【図面の簡単な説明】
【００６１】
【図１】流入量減水予測装置の構成を示す図である。
【図２】流入量減水実績および近似値線を示したグラフである。
【図３】図２で求められた計算式のｘの累乗指数と、ピーク流入量との相関性を示したグラフである。
【図４】減水予測カーブと実績を比較したグラフである。
【図５】補正後の減水予測カーブを示したグラフである。
【図６】予測流入量および補正後の減水予測カーブを表示した表示例である。
【図７】ユーザによってピーク流入量およびピーク次点流入量が入力される場合のＣＰＵの動作を示すフローチャートである。
【図８】ＣＰＵがピーク流入量およびピーク次点流入量を検出する場合のＣＰＵの動作を示すフローチャートである。
【符号の説明】
【００６２】
１０…流入量減水予測装置、１１…ＣＰＵ、１２…ＲＡＭ、１３…ＲＯＭ、１４…入出力Ｉ／Ｆ、１５…ＨＤＤ、１６…計測部、１７…キーボード、１８…ディスプレイ、１９…バス
【図１】
2007278879.tif 000003
【図２】
2007278879.tif 000004
【図３】
2007278879.tif 000005
【図４】
2007278879.tif 000006
【図５】
2007278879.tif 000007
【図６】
2007278879.tif 000008
【図７】
2007278879.tif 000009
【図８】
2007278879.tif 000010